(57)【要約】【課題】犬の散歩時に使用する糞取り具に関する物で、糞が地面に落下する前に受け取る事も、地面の糞も掬い取る事の出来る様にした。特に糞接取用ポリ袋の着脱は、手を汚す事無く簡単に出来、軽量で携帯性に優れ、しかも安価に製作出来る形状を提供するものである。【解決手段】樹脂や針金等の可とう性線材を用いて、糞接取用ポリ袋２を取り付ける部分の外枠形状を概略三角形状に形成すると共に、その三角形状枠の下辺中央部を分離して一端はフリーの状態とし、他方はその内側より連続延長して把手１を形成して全体枠組み形状をなし、且つ前記三角形状枠の下部内側から糞接取用ポリ袋２の開口側を通して、その端部を三角形状枠の外側に折り曲げて三角形枠全体を包み込む様に取り付ける事を特徴とした糞取り具。【選択図】図１ 
0003111072.tif 000002
【実用新案登録請求の範囲】
【請求項１】
樹脂や針金等の可とう性線材を用いて、糞接取用ポリ袋２を取り付ける部分の外枠形状を概略三角形状に形成すると共に、その三角形状枠の下辺中央部を分離して一端はフリーの状態とし、他方はその内側より連続延長して把手１を形成して全体枠組み形状をなし、且つ前記三角形状枠の下部内側から糞接取用ポリ袋２の開口側を通して、その端部を三角形状枠の外側に折り曲げて三角形枠全体を包み込む様に取り付ける事を特徴とした糞取り具。
【請求項２】
三角形状枠を形成する部分の左辺１１bを直状にした上記請求項１記載の糞取り具。
【請求項３】
三角形状枠を形成する部分の可とう性線材の外表面を、ゴムや樹脂系の部材でコーティング４又は、凹凸状の荒い面５に仕上げた請求項１又は２記載の糞取り具。
【考案の詳細な説明】
【技術分野】
【０００１】
この考案は犬の散歩時に使用する糞取り具に関する物で、糞が地面に落下する前に受け取る事も、地面の糞も掬い取る事の出来る様にした。特に糞接取用ポリ袋の着脱は、手を汚す事無く簡単に出来、軽量で携帯性に優れ、しかも安価に製作出来る形状を提供する。
【背景技術】
【０００２】
犬の糞接取用ポリ袋を用いる従来の糞取り具は、主として円形状の枠に糞接取用ポリ袋を取り付けるのが一般的で、その方法として種々工夫された物が数多く見受けられる。その代表例として（１）上からリングで押さえて止める。（２）引っ掛けるフックを設ける。（３）ポリ袋の開口部に閉口用の紐を設ける。等が挙げられる。
【特許文献１】特許公開２００３−１５８９３７
【特許文献２】特許公開２００３−１０２３１１
【特許文献３】特許公開平９−１１７２３１
【考案の開示】
【考案が解決しようとする課題】
【０００３】
従来の製品には次のような問題点があった。
糞取り具の厚みが全般に大きく、又円形状なので、糞をしている状態では糞取り具が肛門に接触したり、後ろ足の間から奥迄の差し入れが不十分となる為、地面に落下する前に糞を上手く受け取れない。
地面に落ちた糞は、掬い取れ難い形状である。
糞接取用ポリ袋の着脱が面倒で取り付け操作に手間を要する。
構造が複雑な為高価となり、且つ全体に重く携帯性に問題がある。
糞接取用ポリ袋の形状は、個々の糞取り具に合わせた専用仕様の物となり、融通性が無い。
糞接取用ポリ袋の開口部周辺に糞が付く為、同ポリ袋の着脱が清潔に行えない。
本考案は、以上の様な問題点を解決する為になされたものである。
【課題を解決するための手段】
【０００４】
本考案は、前記問題点を解消する為に、糞取り具を次の様に構成する。
樹脂や針金等の可とう性線材を用いて、糞接取用ポリ袋２を取り付ける部分の外枠形状を概略三角形状に形成すると共に、その下辺中央部を分離して一端はフリーの状態とし、他方はその内側より連続延長して把手１を形成して全体枠組み形状をなし、且つ前記三角形状枠の下部内側から糞接取用ポリ袋２の開口側を通して、その端部を三角形状枠の外側に折り曲げて三角形状枠全体を包み込む様に取り付ける。
【０００５】
更に糞接取用ポリ袋２を装着する三角形状枠部分の左辺１１bを直状にして、地面上の糞も掬い取れる様に工夫する事や、糞接取用ポリ袋２をシッカリ装着保持させる為に、同ポリ袋を取り付ける三角形状枠の外表面を、ゴムや樹脂系の部材でコーティング４又は、凹凸状の荒い面５に仕上げる事も考慮した。
【０００６】
本考案の特徴とする点は、（１）糞を受け取る部分の外枠形状を概略三角形状にした点。（２）糞接取用ポリ袋２の装着保持を可とう性線材の弾性力を利用した摩擦による点。（３）三角形に形成された一辺を直状１１bにしている点。（４）糞接取用ポリ袋２は専用仕様の物ではなく、スーパー等で無償入手出来る使い捨てポリ袋が使用出来る点。である。
【考案の効果】
【０００７】
（１）犬の後ろ足の間から体に触れる事も無く奥迄差し込む事が出来るので、確実に糞の受け取りが出来る。（２）地面にある糞も掬い取る事が出来る。（３）糞接取用ポリ袋２の着脱が非常に簡単に且つ手を汚す事無く片手で清潔に出来る。しかも同ポリ袋は専用仕様の物は必要なく、スーパー等で無償入手出来る使い捨てポリ袋が使用出来るので、ランニングコストはあまり掛からない。（４）軽量なので散歩時の携帯性に優れる。（５）安価に出来る為広く普及して、高い環境保全効果が見込める。
【考案を実施するための最良の形態】
【０００８】
以下本考案に於ける実施例について、図面を参照しながら説明する。
【実施例１】
【０００９】
図１は本考案の全体斜視図で、概略三角形状をした外枠に、糞接取用ポリ袋２を取り付けた部分と、Ｕ字形をした把手１とで構成されている。
【００１０】
図２は糞接取用ポリ袋２を取り付ける前の全体枠組み形状を示す図で、樹脂や針金等の可とう性線材を折り曲げて一本で製作する。三角形状の構成は、図２に示す通り先端部Ａaから両側に線材を配し、右辺形成部線材１１a、左辺形成部線材１１b、として、下辺左先端部Ａb、下辺右先端部Ａcを頂点として、それぞれ内側に折り曲げて、三角形状の下辺としている。但し下辺部分は下辺左側形成部線材１１c、下辺右側形成部線材１１dとに分割されており、１１cの内側を延長してポケットＡを設けて更にＵ字形をした把手１を形成し、把手端部１aを末端部としている。他方の１１dはポケットＢを設けて着脱操作部１１eを末端部としている。通常糞接取用ポリ袋２が取り付けられていない状態では、着脱操作部１１eは、把手端部１aの位置より幾分外側になる様に製作されており、１１eの外側から矢印Ｆの様に指で内向きに押せばポケットＡ１２に接触する迄押し込められて、放せば線材の弾性で元の位置に復元する。
【００１１】
糞接取用ポリ袋２を取り付ける三角形状枠とは、各先端部Ａa、Ａb、Ａcを頂点とした三角形を構成する各形成部線材１１a、１１b、１１c、１１d、と両ポケット１２、１３を形作る線材部分を指す。各先端部Ａa、Ａb、Ａcは、丸みをもたせて糞接取用ポリ袋２の装着時破損や、取り扱い上危なく無い様に配慮している。
【００１２】
糞接取用ポリ袋２の取り付けは、着脱操作部１１eを図２の矢印Ｆの様に内側に指で押して三角形状枠を狭めた状態にして、図３に示す通り三角形状枠の下側から、同ポリ袋２の開口部を上方向に通し、各形成部線材１１a、１１b、１１c、１１d、を図中の矢印に示す通り外側へ包み込む様に折り曲げる。必然的に分割された下辺部に設けている両ポケット１２、１３部分に同ポリ袋の端部が納まる事になる。この状態が出来た後に、１１eを押している指を離せば三角形状枠が広がって大きくなり、シッカリ糞接取用ポリ袋２を保持出来る。
【００１３】
糞接取用ポリ袋２は、スーパー等で無償入手出来る使い捨てポリ袋が適するが、薄くて柔軟性が有って水分の洩れない物ならば、持ち手部分の有無や、透明、不透明、色等には限定されない。ただポリ袋の開口部の大きさは、三角形状枠の変形対応範囲を考慮する必要がある。
【００１４】
本考案による糞取り具の使用法は、図５に示す通り犬が糞３をする体制になった時、後ろ側から差し込んで地面に落ちる前に糞３を受け取り、地面を汚さないのが通常の使用法であるが、地面に落ちた糞３も図４に示す様に、三角形枠の左辺形成部線材１１b部分を地面に押しつけながら掬えば取り上げる事が出来る。
【実施例２】
【００１５】
図２に示す全体枠組み形状図に於いて、実施例１の三角形枠の左辺形成部線材１１bを直状にして、地面との接地性を高めた糞取り具である。
【実施例３】
【００１６】
図２に示す全体枠組み形状図に於いて、実施例１の左辺形成部線材１１b部分の外表面を摩擦係数の大きいゴムや樹脂系部材でコーティングした糞取り具であって、糞接取用ポリ袋２の保持力を高めた物である。同じ目的の為に図７に示す様に１１bの外表面をショットピーニング加工等で、凹凸状の荒い面に仕上げても良い。
【産業上の利用可能性】
【００１７】
犬の糞取り具に留まらず、他の愛玩動物用としての使用は勿論の事、一般の携帯ゴミ処理具としても
使用出来る。  
【図面の簡単な説明】
【００１８】
【図１】本考案に係わる犬の糞取り具の実施例１を示す全体斜視図
【図２】可とう性線材を用いて形成された実施例１の全体枠組み形状図
【図３】第２図のＡ−Ｂ断面をもとに、糞接取用ポリ袋２を取り付けた状態図
【図４】地面の糞を掬い取る状態図
【図５】糞をしている状態で、犬の後ろから糞取り具を差し込んで糞を接取している状態図
【図６】図２のＣ−Ｄ断面をもとに、線材の外表面をゴムや樹脂系部材でコーティング４した実施例２の状態図
【図７】図２のＥ部をもとに、線材の外表面を凹凸状の荒い面５に仕上げた実施例３の状態図
【符号の説明】
【００１９】
１     把手
１a    把手端部
１１a  右辺形成部線材
１１b  左辺形成部線材
１１c  下辺左側形成部線材
１１d  下辺右側形成部線材
１１e  着脱操作部
１２   ポケットＡ
１３   ポケットＢ
２     糞接取用ポリ袋
２a    折り返し部
３     糞
４     コーティング
５     荒い面
Ａa    先端部
Ａb    下辺左先端部
Ａc    下辺右先端部
Ｆ     矢印
【図１】
0003111072.tif 000003
【図２】
0003111072.tif 000004
【図３】
0003111072.tif 000005
【図４】
0003111072.tif 000006
【図５】
0003111072.tif 000007
【図６】
0003111072.tif 000008
【図７】
0003111072.tif 000009